(57)【要約】【課題】迅速に緊急発信を行うことができる携帯電子機器を提供すること。【解決手段】携帯電話機１は、物体の接触を検出する検出部１２と、１又は複数のアプリケーションを記憶する記憶部１６と、所定の連絡先に発信する通信部１５と、アプリケーションを実行し、このアプリケーションが実行されている場合に、検出部１２が接触を検出したことに応じて、接触のパターンが所定パターンと一致するか否かを判定し、接触のパターンが所定パターンと一致すると判定した場合、アプリケーションの実行を中断し、通信部１５に所定の連絡先に発信させる制御部１７と、を備える。【選択図】図２
2011223285.tif 000002
【特許請求の範囲】
【請求項１】
物体の接触を検出する検出部と、
所定の連絡先に発信する通信部と、
アプリケーションが実行されている場合に、前記検出部が接触を検出したことに応じて、前記接触のパターンが所定パターンと一致するか否かを判定し、前記接触のパターンが前記所定パターンと一致すると判定した場合、実行中の前記アプリケーションを中断し、前記通信部に前記所定の連絡先に発信させる制御部と、を備える携帯電子機器。
【請求項２】
前記所定パターンを記憶する記憶部を備え、
前記制御部は、前記検出部が接触を検出したことに応じて、当該接触のパターンを前記記憶部に一時的に記憶させ、前記記憶部に記憶されている連続した前記接触のパターンが、前記所定パターンと一致すると判定した場合、実行中の前記アプリケーションを中断し、前記通信部に前記所定の連絡先に発信させる請求項１に記載の携帯電子機器。
【請求項３】
前記制御部は、一のアプリケーションの実行に引き続き他のアプリケーションを実行させる場合には、前記一のアプリケーションの実行中に検出された接触と、前記他のアプリケーションの実行中に検出された接触とを合わせて、前記接触のパターンとして前記記憶部に一時的に記憶させる請求項２に記載の携帯電子機器。
【請求項４】
前記記憶部は、前記所定パターンとして、接触の時間が第１の時間以上である第１の接触パターンと、前記第１の時間よりも短い第２の時間以下である第２の接触パターンとの組合せを記憶する請求項２又は３に記載の携帯電子機器。
【請求項５】
前記記憶部は、前記所定パターンとして、複数回の連続した前記第１の接触パターンと、複数回の連続した前記第２の接触パターンとの交互の組合せを記憶する請求項４に記載の携帯電子機器。
【請求項６】
前記制御部は、前記検出部が最後に接触を検出してから所定時間が経過した場合、前記記憶部に一時的に記憶している前記接触のパターンを前記記憶部に消去させる請求項２から５のいずれか１項に記載の携帯電子機器。
【請求項７】
前記制御部は、前記接触のパターンが前記所定パターンと一致しないと判定した場合、実行中の前記アプリケーションを中断させない請求項１から６のいずれか１項に記載の携帯電子機器。
【請求項８】
表示部を備え、
前記検出部は、前記表示部に対する物体の接触を検出する請求項１から７のいずれか１項に記載の携帯電子機器。
【請求項９】
前記制御部は、前記接触のパターンが前記所定パターンと一致すると判定した場合、前記アプリケーションの実行を中断し、前記通信部に前記所定の連絡先に発信させるか否かの確認画面を前記表示部に表示させる請求項８に記載の携帯電子機器。
【請求項１０】
複数のアプリケーションを実行可能な携帯電子機器であって、
物体の接触を検出する検出部と、
一のアプリケーションを実行している場合に、前記検出部が接触を検出したことに応じて、前記接触のパターンが所定パターンと一致するか否かを判定し、前記接触のパターンが前記所定パターンと一致すると判定した場合、実行中の前記一のアプリケーションを中断し、他のアプリケーションを実行させる制御部と、を備える携帯電子機器。
【発明の詳細な説明】
【技術分野】
【０００１】
本発明は、タッチパネルを備えた携帯電子機器に関する。
【背景技術】
【０００２】
従来、携帯電子機器には、防犯上の観点から、所望の連絡先への発信（例えば、緊急発信）を行う機能が設けられているものがある（例えば、特許文献１参照）。このような携帯電子機器では、ユーザが緊急時の場合、緊急発信を行うことにより適切な対応をとることができる。
【０００３】
ところで、近年、表示部と、この表示部に指等が接触したことを検出する検出部と、この検出部の検出結果に応じて表示部の表示内容を制御する制御部とにより構成されるタッチパネルを備えた携帯電子機器が急速に普及している。この携帯電子機器では、タッチパネルが操作されることにより、ユーザが所望するアプリケーションを起動させることができる。
【先行技術文献】
【特許文献】
【０００４】
【特許文献１】特開２００５−２９３４０８号公報
【発明の概要】
【発明が解決しようとする課題】
【０００５】
しかしながら、タッチパネルを備えた携帯電子機器は、タッチパネルによる操作を主としているため、緊急発信を行う場合も、タッチパネルによる操作を介して行う必要がある。
【０００６】
例えば、タッチパネルを備えた携帯電子機器において、アプリケーションが実行されている場合に緊急発信を行うには、タッチパネルを操作して、アプリケーションを終了させてから、緊急発信にかかるアプリケーションを起動させ、タッチパネルを操作して、緊急発信を行う必要がある。
このように、タッチパネルを備えた携帯電子機器では、アプリケーションを実行中に所望の連絡先への発信を行う場合、アプリケーションの中断も含めた煩雑な操作を要するので、本当に必要な場面において、迅速に所望の連絡先への発信を行うことができないおそれがある。
【０００７】
本発明は、迅速に所望の連絡先への発信を行うことができる携帯電子機器を提供することを目的とする。
【課題を解決するための手段】
【０００８】
本発明に係る携帯電子機器は、物体の接触を検出する検出部と、所定の連絡先に発信する通信部と、アプリケーションが実行されている場合に、前記検出部が接触を検出したことに応じて、前記接触のパターンが所定パターンと一致するか否かを判定し、前記接触のパターンが前記所定パターンと一致すると判定した場合、実行中の前記アプリケーションを中断し、前記通信部に前記所定の連絡先に発信させる制御部と、を備える。
【０００９】
また、本発明に係る携帯電子機器は、前記所定パターンを記憶する記憶部を備え、前記制御部は、前記検出部が接触を検出したことに応じて、当該接触のパターンを前記記憶部に一時的に記憶させ、前記記憶部に記憶されている連続した前記接触のパターンが、前記所定パターンと一致すると判定した場合、実行中の前記アプリケーションを中断し、前記通信部に前記所定の連絡先に発信させることが好ましい。
【００１０】
また、前記制御部は、一のアプリケーションの実行に引き続き他のアプリケーションを実行させる場合には、前記一のアプリケーションの実行中に検出された接触と、前記他のアプリケーションの実行中に検出された接触とを合わせて、前記接触のパターンとして前記記憶部に一時的に記憶させることが好ましい。
【００１１】
また、前記記憶部は、前記所定パターンとして、接触の時間が第１の時間以上である第１の接触パターンと、前記第１の時間よりも短い第２の時間以下である第２の接触パターンとの組合せを記憶することが好ましい。
【００１２】
また、前記記憶部は、前記所定パターンとして、複数回の連続した前記第１の接触パターンと、複数回の連続した前記第２の接触パターンとの交互の組合せを記憶することが好ましい。
【００１３】
また、前記制御部は、前記検出部が最後に接触を検出してから所定時間が経過した場合、前記記憶部に一時的に記憶している前記接触のパターンを前記記憶部に消去させることが好ましい。
【００１４】
また、前記制御部は、前記接触のパターンが前記所定パターンと一致しないと判定した場合、実行中の前記アプリケーションを中断させないことが好ましい。
【００１５】
また、本発明に係る携帯電子機器は、表示部を備え、前記検出部は、前記表示部に対する物体の接触を検出することが好ましい。
【００１６】
また、前記制御部は、前記接触のパターンが前記所定パターンと一致すると判定した場合、前記アプリケーションの実行を中断し、前記通信部に前記所定の連絡先に発信させるか否かの確認画面を前記表示部に表示させることが好ましい。
【００１７】
本発明に係る携帯電子機器は、複数のアプリケーションを実行可能な携帯電子機器であって、物体の接触を検出する検出部と、一のアプリケーションを実行している場合に、前記検出部が接触を検出したことに応じて、前記接触のパターンが所定パターンと一致するか否かを判定し、前記接触のパターンが前記所定パターンと一致すると判定した場合、実行中の前記一のアプリケーションを中断し、他のアプリケーションを実行させる制御部と、を備える。
【発明の効果】
【００１８】
本発明によれば、迅速に所望の連絡先への発信を行うことができる。
【図面の簡単な説明】
【００１９】
【図１】本実施形態に係る携帯電話機の外観斜視図である。
【図２】本実施形態に係る携帯電話機の機能を示すブロック図である。
【図３】本実施形態に係る携帯電話機の検出部によりタッチイベントが検出されたときの処理の一例を示すシーケンス図である。
【図４】本実施形態に係る携帯電話機の検出部によりリリースイベントが検出されたときの処理の一例を示すシーケンス図である。
【図５】本実施形態に係る携帯電話機の検出部によりリリースイベントが検出されたときの処理の別の一例を示すシーケンス図である。
【図６】本実施形態に係る制御部が通信部に所定の連絡先に緊急発信させる処理を示すフローチャートである。
【図７】本実施形態に係る緊急発信の確認画面を示す図である。
【発明を実施するための形態】
【００２０】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００２１】
携帯電話機１は、筺体２を備える。筺体２には、正面部に、タッチパネル１０と、マイク１３と、スピーカ１４とが配置される。
【００２２】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に対する携帯電話機１のユーザの指やタッチペン等の物体の接触を検出するセンサである。検出部１２には、例えば、静電容量方式や抵抗膜方式等のセンサが利用可能である。
マイク１３は、携帯電話機１のユーザが通話時に発した音声を入力するために用いられる。
スピーカ１４は、携帯電話機１のユーザの通話相手が発した音声を出力するために用いられる。
【００２３】
続いて、図２を参照しながら、携帯電話機１の機能構成について説明する。図２は、携帯電話機１の機能構成を示すブロック図である。
【００２４】
携帯電話機１は、上述した、タッチパネル１０（表示部１１及び検出部１２）と、マイク１３と、スピーカ１４とを備える。また、携帯電話機１は、通信部１５と、記憶部１６と、制御部１７とを備える。
【００２５】
通信部１５は、メインアンテナ（図示省略）とＲＦ回路部（図示省略）とを備え、所定の連絡先に発信したり、通信したりする。通信部１５が発信する連絡先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２６】
記憶部１６は、例えば、ワーキングメモリを含み、制御部１７による演算処理に利用される。また、記憶部１６は、携帯電話機１の内部で動作するアプリケーションを１又は複数記憶する。また、記憶部１６は、緊急発信を行うか否かを判定する場合のキーとなる表示部１１に対する連続した接触のパターン（所定パターン）を予め記憶したり、検出部１２が検出した、連続する接触のパターンを一時的に記憶したりする。なお、記憶部１６は、着脱可能な外部メモリを兼ねていてもよい。
【００２７】
制御部１７は、携帯電話機１の全体を制御しており、表示部１１及び通信部１５に対して制御を行う。制御部１７は、検出部１２による検出結果を受け取り、この検出結果に応じて、通信部１５に所定の連絡先に緊急発信させる。
【００２８】
以下、所定の連絡先に緊急発信するための制御部１７の処理内容を説明する。
制御部１７は、記憶部１６に記憶されているアプリケーションを実行する。制御部１７は、このアプリケーションが実行されている場合に、検出部１２が表示部１１への接触を検出したことに応じて、接触のパターンが所定パターンと一致するか否かを判定し、この接触のパターンが所定パターンと一致すると判定した場合、実行中のアプリケーションを中断し、通信部１５に所定の連絡先に緊急発信させる。
【００２９】
具体的には、制御部１７は、検出部１２が表示部１１への接触を検出したことに応じて、この接触のパターンを記憶部１６に一時的に記憶させる。つまり、制御部１７は、この接触のパターンを記憶部１６に追記することにより、連続する接触のパターンを記憶部１６に一時的に記憶する。続いて、制御部１７は、記憶部１６に一時的に記憶されている連続した接触のパターンが、記憶部１６に予め記憶されている所定パターンと一致すると判定した場合、実行中のアプリケーションを中断し、通信部１５に緊急発信させるか否かの確認画面を表示部１１に表示させる。
ここで、制御部１７は、既に所定数の連続した接触のパターンが記憶部１６に記憶されている場合、最も古い接触のパターンを消去し、新しく接触のパターンを記憶させる。
なお、制御部１７は、アプリケーションの起動状態にかかわらず、接触のパターンを記憶部１６に一時的に記憶させる。
【００３０】
表示部１１には、図７に示されるように、確認画面としての緊急発信画面が表示され、この画面には、発信ボタン１１１とキャンセルボタン１１２が表示される。
検出部１２により、発信ボタン１１１への接触が検出されると、制御部１７は、通信部１５に、所定の連絡先に緊急発信させる。
他方、検出部１２により、キャンセルボタン１１２への接触が検出されると、制御部１７は、アプリケーションの処理が中断されている場合、中断されていたアプリケーションの実行を再開する復帰処理を行う。
続いて、制御部１７は、検出部１２により発信ボタン又はキャンセルボタンへの接触が検知された後に、記憶部１６に一時的に記憶されている接触のパターンを消去させる。
【００３１】
また、制御部１７は、一のアプリケーションの実行に引き続き他のアプリケーションを実行させる場合には、一のアプリケーションの実行中に検出された接触と、他のアプリケーションの実行中に検出された接触とを合わせて、接触のパターンとして記憶部１６に一時的に記憶させる。すなわち、制御部１７は、実行中のアプリケーションが切り替わった場合、アプリケーションが切り替わる前に検出された接触と、アプリケーションが切り替わった後に検出された接触とを合わせて、連続した接触パターンとして、記憶部１６に記憶させる。
【００３２】
また、制御部１７は、記憶部１６に一時的に記憶されている連続した接触のパターンが、記憶部１６に予め記憶されている所定パターンと一致しないと判定した場合、実行中のアプリケーションを中断させず、アプリケーションの実行を継続する。
【００３３】
ここで、記憶部１６が記憶する所定パターンは、接触の時間が第１の時間以上である第１の接触パターンと、この第１の時間よりも短い第２の時間以下である第２の接触パターンとの組合せである。第１のパターンとは、例えば、接触の時間が０．５秒以上である接触をいい、第２のパターンとは、例えば、接触の時間が０．１秒以下である接触をいう。
【００３４】
より具体的には、記憶部１６が記憶する所定パターンは、複数回の連続した第１の接触パターンと、複数回の連続した第２の接触パターンとの交互の組合せである。例えば、第１の接触パターンを「長押し」、第２の接触パターンを「短押し」とした場合、「長押し、長押し、長押し」は、複数回の連続した第１の接触パターンであり、「短押し、短押し、短押し」は、複数回の連続した第２の接触パターンである。この場合、記憶部１６は、所定パターンとして、例えば、「長押し、長押し、長押し、短押し、短押し、短押し、長押し、長押し、長押し」を記憶する。
【００３５】
なお、接触のパターンは、タッチパネル１０に対して物体が接触する現象（以下、タッチイベントという）と、タッチパネル１０に対する接触から物体が離反する現象（以下、リリースイベントという）とにより構成される。
【００３６】
また、制御部１７は、検出部１２が最後に接触を検出してから所定時間が経過した場合、記憶部１６に一時的に記憶している接触のパターンを記憶部１６に消去させる。
【００３７】
続いて、図３〜図５を参照して、接触のパターンについてより詳細に説明する。
図３は、検出部１２によりタッチイベントが検出されたときの処理を示すシーケンス図である。なお、図３〜図５の説明において、アプリケーションが、制御部１７により起動中であるものとする。
【００３８】
ステップＳ１において、検出部１２は、タッチパネル１０に対して物体が接触したことに応じて、タッチイベントを検出する。検出部１２は、このタッチイベントを制御部１７に通知する。
【００３９】
ステップＳ２において、制御部１７は、通知されたタッチイベントを記憶部１６に一時記憶する。制御部１７は、タッチイベントを起動中のアプリケーションに通知する。
起動中のアプリケーションは、タッチイベントに応じた動作を行う。
【００４０】
図４及び図５は、検出部１２によりリリースイベントが検出されたときの処理を示すシーケンス図である。
【００４１】
図４は、接触のパターンと所定パターンとが一致した場合の処理の流れを示す図である。
ステップＳ１１において、検出部１２は、タッチパネル１０から物体が離反したことに応じて、リリースイベントを検出する。検出部１２は、このリリースイベントを制御部１７に通知する。
【００４２】
ステップＳ１２において、制御部１７は、リリースイベントが通知されたことに応じて、接触のパターンを所定パターンと比較する。具体的には、制御部１７は、リリースイベントが通知されたことに応じて、一時記憶されているタッチイベントからの経過時間を測定し、接触のパターンが第１の接触パターンであるか、第２の接触パターンであるか、判定するとともに、一時記憶されているタッチイベントを記憶部１６から消去する。続いて、制御部１７は、判定した接触のパターンと、一時的に記憶されている連続した接触のパターンとを組合せて、連続した接触のパターンを更新する。続いて、制御部１７は、この連続した接触のパターンと、記憶部１６に記憶されている所定パターンを比較する。制御部１７は、パターンが一致する場合には、起動アプリケーションにリリースイベントを通知するとともに、アプリケーションを強制的に中断する。
ステップＳ１３において、制御部１７は、緊急発信処理を行う。
【００４３】
図５は、接触のパターンと所定パターンとが不一致の場合の処理の流れを示す図である。
ステップＳ２１において、検出部１２は、タッチパネル１０から物体が離反したことに応じて、リリースイベントを検出する。検出部１２は、このリリースイベントを制御部１７に通知する。
【００４４】
ステップＳ２２において、制御部１７は、リリースイベントが通知されたことに応じて、接触のパターンを所定パターンと比較する。具体的な処理は、ステップＳ１２と同様であるので、説明を省略する。制御部１７は、パターンが不一致の場合には、起動アプリケーションにリリースイベントを通知する。すなわち、パターンが不一致の場合には、制御部１７は、アプリケーションを強制的に中断させずに、アプリケーションの起動を継続させる。
【００４５】
ステップＳ２３において、制御部１７は、記憶部１６に一時的に記憶されている接触のパターンを消去する。
【００４６】
続いて、図６を参照して、所定の連絡先に緊急発信させる処理について、より詳細に説明する。
図６は、本実施形態に係る制御部１７が通信部１５に所定の連絡先に緊急発信させる処理を示すフローチャートである。
【００４７】
ステップＳ１０１では、制御部１７は、検出部１２が最後に接触を検出してから所定時間が経過したか否かを判定する。制御部１７は、この判定がＹＥＳの場合、ステップＳ１０２に処理を移し、この判定がＮＯの場合、ステップＳ１０３に処理を移す。
ステップＳ１０２では、制御部１７は、記憶部１６に一時的に記憶している接触のパターンを消去する。
【００４８】
ステップＳ１０３では、制御部１７は、検出部１２が表示部１１への接触を検出したか否かを判定する。制御部１７は、この判定がＹＥＳの場合、ステップＳ１０４に処理を移し、この判定がＮＯの場合、ステップＳ１０１に処理を移す。
ステップＳ１０４では、制御部１７は、接触のパターンを記憶部１６に一時的に記憶する。ここで、制御部１７は、記憶部１６に記憶されている接触のパターンが記憶部１６に記憶されている場合、最も古い接触のパターンを消去し、新しく接触のパターンを記憶させる。
【００４９】
ステップＳ１０５では、制御部１７は、記憶部１６に一時的に記憶された連続した接触のパターンが、記憶部１６に予め記憶されている所定パターンと一致するか否かを判定する。制御部１７は、この判定がＹＥＳの場合、ステップＳ１０６に処理を移し、この判定がＮＯの場合、ステップＳ１０１に処理を移す。
【００５０】
ステップＳ１０６では、制御部１７は、実行中のアプリケーションを中断し、通信部１５に緊急発信させるか否かの確認画面を表示部１１に表示させる。この確認画面には、発信ボタンとキャンセルボタンが表示される。
ステップＳ１０７では、制御部１７は、検出部１２が表示部１１に表示されている発信ボタンに接触したか否かを判定する。制御部１７は、この判定がＹＥＳの場合、ステップＳ１０８に処理を移し、この判定がＮＯの場合、ステップＳ１０９に処理を移す。
【００５１】
ステップＳ１０８では、制御部１７は、通信部１５に所定の連絡先に緊急発信させる。この処理が終了すると、制御部１７は、ステップＳ１１１に処理を移す。
【００５２】
ステップＳ１０９では、制御部１７は、検出部１２が表示部１１に表示されているキャンセルボタンに接触したか否かを判定する。制御部１７は、この判定がＹＥＳの場合、ステップＳ１１０に処理を移し、この判定がＮＯの場合、ステップＳ１０７に処理を移す。
【００５３】
ステップＳ１１０では、制御部１７は、アプリケーションの処理が中断されている場合、中断されていたアプリケーションの実行を再開する復帰処理を実行する。
ステップＳ１１１では、制御部１７は、記憶部１６に一時的に記憶されている接触のパターンを消去させる。
【００５４】
以上のように、本実施形態によれば、携帯電話機１は、検出部１２が表示部１１への接触を検出したことに応じて、接触のパターンが所定パターンと一致するか否かを判定し、この接触のパターンが所定パターンと一致すると判定した場合、実行中のアプリケーションを中断し、通信部１５に所定の連絡先に緊急発信させる。よって、携帯電話機１のユーザは、タッチパネル１０を操作して、実行中のアプリケーションを中断させたり、緊急発信にかかるアプリケーションを起動させたりする必要がないので、煩雑な操作を行わずに、迅速に所望の連絡先への発信を行うことができる。
【００５５】
また、携帯電話機１は、記憶部１６に、表示部１１に対する連続した接触の所定パターンを予め記憶し、検出部１２により検出された連続する接触のパターンと所定パターンが一致するかを判定して、緊急発信を可能にさせるかを決定する。よって、所定のパターンを通常操作とは異なるパターンとすることで、誤操作により緊急発信してしまうことを防止することができる。
【００５６】
また、携帯電話機１は、一のアプリケーションの実行中に検出された接触と、他のアプリケーションの実行中に検出された接触とを合わせて、接触のパターンとするので、実行中のアプリケーションが切り替わった場合でも、連続した接触パターンとすることができる。
【００５７】
また、携帯電話機１において、所定パターンは、接触の時間が第１の時間以上である第１の接触パターンと、この第１の時間よりも短い第２の時間以下である第２の接触パターンとの組合せである。よって、携帯電話機１は、第１の接触パターンと第２の接触パターンとの組合せにより、緊急発信を可能にするかを決定するので、誤操作により緊急発信してしまうことをさらに防止することができる。
【００５８】
また、携帯電話機１において、所定パターンは、複数回の連続した第１の接触パターンと、複数回の連続した第２の接触パターンとの組合せである。よって、携帯電話機１は、簡易的、かつ、通常行われない操作により緊急発信を可能にするかを決定するので、誤操作により緊急発信してしまうことをさらに防止することができる。
【００５９】
また、携帯電話機１は、検出部１２が最後に接触を検出してから所定時間が経過した場合、記憶部１６に一時的に記憶している接触のパターンを消去する。よって、所定時間内に所定パターンと一致する接触パターンの操作がされない限り緊急発信を行わないので、誤操作による緊急発信をさらに防止することができる。
【００６０】
また、携帯電話機１は、記憶部１６に一時的に記憶されている連続した接触のパターンが、記憶部１６に予め記憶されている所定パターンではないと判定した場合、アプリケーションの実行を中断させない。よって、携帯電話機１は、不用意にアプリケーションの実行を中断させることがないので、ユーザビリティの低下を抑制できる。
【００６１】
また、携帯電話機１は、タッチパネル１０に対する操作のみで所定の連絡先に対して緊急発信を行うことができる。よって、携帯電話機１のユーザは、簡易的な操作で所定の連絡先に対して、緊急発信を行うことができる。
【００６２】
また、携帯電話機１は、表示部１１に、確認画面を表示させて、発信させるか否かをユーザに決定させるので、誤操作による緊急発信をさらに防止することができる。
【００６３】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６４】
本実施形態では、携帯電話機１は、検出部１２が接触を検出し、接触のパターンが所定パターンと一致すると判定した場合、実行中のアプリケーションを中断し、通信部１５に所定の連絡先に発信させることとしたが、これに限らない。例えば、携帯電話機１は、一のアプリケーションを実行している場合に、検出部１２が接触を検出したことに応じて、接触のパターンが所定パターンと一致するか否かを判定し、接触のパターンが所定パターンと一致すると判定した場合、実行中の一のアプリケーションを中断し、他のアプリケーションを実行させることとしてもよい。
【００６５】
具体的には、携帯電話機１は、一のアプリケーションとして、ブラウザを実行中である場合に、検出部１２が接触を検出し、接触のパターンが所定パターンと一致すると判定した場合、実行中のブラウザの動作を中断させて、他のアプリケーションとして、メーラーを起動させてもよい。さらに、メーラーの起動時に、メーラーにおけるメールの送信先を、所定の連絡先に設定してもよい。このようにすることで、携帯電話機１は、簡易的な操作により、他のアプリケーションを介して、迅速に所望の連絡先への発信を行うことができる。
【符号の説明】
【００６６】
１  携帯電話機（携帯電子機器）
１０  タッチパネル
１１  表示部
１２  検出部
１５  通信部
１６  記憶部
１７  制御部
【図１】
2011223285.tif 000003
【図２】
2011223285.tif 000004
【図３】
2011223285.tif 000005
【図４】
2011223285.tif 000006
【図５】
2011223285.tif 000007
【図６】
2011223285.tif 000008
【図７】
2011223285.tif 000009